(57)【要約】【課題】特に、外部給水方式の蓄氷型冷水装置を用いた場合に、蓄氷時の終期に頻発する熱交換器の凍結を効果的に防止することのできる蓄氷型冷水装置の運転制御方法を提供すること。【解決手段】冷凍機、熱交換器、蓄氷タンクを備え、熱交換器と蓄氷タンクを接続する水供給路には、外部から水を供給する外部給水路が介設されてなる蓄氷型冷水装置の運転制御方法において、蓄氷時において、蓄氷タンクの水位が、予め設定された基準水位に達するまでは、外部給水路を流通する水の給水温度及び／又は冷凍機の雰囲気温度を検知し、次いで蓄氷タンクの水位が基準水位に達したとき、検知された温度に対応した上限水位を設定し、蓄氷タンクの水位が上限水位まで上昇すると、熱交換器の出口温度を過冷却にならない温度に調節する。【選択図】      図２
2004233009.tif 000002
【特許請求の範囲】
【請求項１】
冷凍機と、この冷凍機から吐出される冷媒と熱交換することにより蓄熱媒体を過冷却状態とする熱交換器と、前記蓄熱媒体が収容されるとともに、蓄熱媒体の過冷却の解除により生成した氷を蓄える蓄氷タンクとを備え、前記熱交換器と前記蓄氷タンクを接続する水供給路には、外部から水を供給するための外部給水路が介設されてなる蓄氷型冷水装置の運転制御方法において、
蓄氷時において、前記外部給水路を流通する水の給水温度及び／又は前記冷凍機の雰囲気温度を検知し、
次いで、蓄氷タンクの水位があらかじめ設定された基準水位に達したとき、前記検知された温度に対応した上限水位を設定し、前記蓄氷タンクの水位が上限水位まで上昇すると、熱交換器の出口温度を過冷却にならない温度に調節することを特徴とする蓄氷型冷水装置の運転制御方法。
【請求項２】
上限水位が、蓄氷タンクの水位が基準水位に達したときに検知された温度に基づいて設定されたものであることを特徴とする請求項１に記載の蓄氷型冷水装置の運転制御方法。
【請求項３】
上限水位が、蓄氷タンクの水位が基準水位に達するまでに検知された平均温度に基づいて設定されたものであることを特徴とする請求項１に記載の蓄氷型冷水装置の運転制御方法。
【請求項４】
冷凍機と、この冷凍機から吐出される冷媒と熱交換することにより蓄熱媒体を過冷却状態とする熱交換器と、前記蓄熱媒体が収容されるとともに、蓄熱媒体の過冷却の解除により生成した氷を蓄える蓄氷タンクと、前記熱交換器と前記蓄氷タンクを接続する水供給路に介設された、外部から水を供給する外部給水路と、前記蓄氷タンクに設けられた水位検出手段とを備え、
蓄氷時において、前記外部給水路を流通する水の給水温度及び／又は前記冷凍機の雰囲気温度を検知し、
次いで、蓄氷タンクの水位があらかじめ設定された基準水位に達したとき、前記検知された温度に対応した上限水位を設定し、前記蓄氷タンクの水位が上限水位まで上昇すると、熱交換器の出口温度を過冷却にならない温度に調節する制御手段を備えたことを特徴とする蓄氷型冷水装置。
【発明の詳細な説明】
【０００１】
【発明の属する技術分野】
本発明は、空調設備や食品冷却装置等に冷水を供給する蓄氷型冷水装置の運転制御方法に関するものであり、特に、蓄氷時において熱交換器の凍結防止を目的とした、蓄氷型冷水装置の運転制御方法に関するものである。
【０００２】
【従来の技術】
従来、蓄氷型冷水装置としては、図７に示すように、蓄氷タンク３１、ポンプ３４及び熱交換器２１が水供給路３２で順次接続されるとともに、上記熱交換器２１と上記蓄氷タンク３１が水還流路３３で接続されてなる水循環路と、冷凍機１１と上記熱交換器２１がそれぞれ冷媒供給路１２と冷媒還流路１３で接続された冷媒循環路とからなり、これに加えて、上記水供給路３２に外部給水路４１を接続して、外部から常温水を供給するようにした、いわゆる外部給水方式を採用したものがある（例えば、特許文献１参照）。また、上記熱交換器２１は、外管２１ａを螺旋状に形成し、その内部に内管２１ｂを挿入した二重管構造であって、外管２１ａと内管２１ｂとの間に蓄氷タンク３１から供給される水が流通し、内管２１ｂには冷凍機１１より供給される冷媒が流通する。この蓄氷型冷水装置は、電力料金の安い深夜電力を利用して、蓄氷タンク３１内に蓄熱媒体としての氷を蓄えておき、負荷の要求に応じて蓄氷タンク３１の上方から配管を通じて解氷水を供給して、タンク３１下部より冷水を取り出して使用される。
【０００３】
このタイプの蓄氷型冷水装置の製氷運転は、概略次のように行なわれる。まず、蓄氷タンク３１に所定水位まで蓄熱媒体としての水を満たした後、冷凍機１１を起動して、冷媒を熱交換器２１内に供給して循環させるとともに、蓄氷タンク３１内にある水を熱交換器２１へ送り込んで熱交換し、この熱交換により過冷却状態とされた水を蓄氷タンク３１内へ還流する。そして、この還流された水は所定の過冷却解除作用を受けることにより、スラリー状の氷を生成し、これにより製氷が始まる。
【０００４】
蓄氷タンク３１内で蓄氷がある程度進むと、水循環路を流通する水の温度が低下して熱交換器２１内で凍結が起きやすくなる。このような凍結が頻繁に発生すると製氷効率が悪化する。そこで、これを回避するために、外部給水方式による蓄氷型冷水装置では、外部給水路４１に設けた流量調節弁４３の開度を調節して、水供給路３２を流通する冷水の温度に応じた量の常温水を外部から供給して冷水と混合することにより、所定温度の冷水とし、さらにこの冷水の循環流量を一定にして熱交換器２１へ供給する。
【０００５】
ところで、蓄氷が進んで蓄氷タンク３１内の水位がある程度高くなると、氷が熱交換器２１の出口に向かって氷筍となって登って行き、熱交換器２１が凍結に至ることがしばしばある。そこで、従来では、かかる熱交換器２１の凍結が発生した場合、例えば、冷凍機１１の運転を停止するとともに、外部給水路４１から常温水を所定時間供給する等の凍結解除動作を行なった後、さらに熱交換器２１の出口を流通する水を過冷却にならない温度に調節することが行なわれている（例えば、特許文献２参照）。しかしながら、かかる運転方法では、せっかく製氷した氷を一部解かすことになるので、蓄氷量が低下することは避けられない。
【０００６】
【特許文献１】
特開平９−１５２１４９号公報（文献１）
【特許文献２】
特開平９−１６６３７４号公報（文献２）
【０００７】
【発明が解決しようとする課題】
本発明は、かかる事情に鑑みてなされたものであり、特に、外部給水方式の蓄氷型冷水装置を用いた場合に、蓄氷時の終期に頻発する熱交換器の凍結を効果的に防止することのできる蓄氷型冷水装置の運転制御方法を提供することを主たる目的とするものである。
【０００８】
【課題を解決するための手段】
上記目的を達成するため、本発明は、冷凍機と、この冷凍機から吐出される冷媒と熱交換することにより蓄熱媒体を過冷却状態とする熱交換器と、上記蓄熱媒体が収容されるとともに、蓄熱媒体の過冷却の解除により生成した氷を蓄える蓄氷タンクとを備え、上記熱交換器と上記蓄氷タンクを接続する水供給路には、外部から水を供給するための外部給水路が介設されてなる蓄氷型冷水装置の運転制御方法において、蓄氷時において、上記外部給水路を流通する水の給水温度及び／又は上記冷凍機の雰囲気温度を検知し、次いで、蓄氷タンクの水位があらかじめ設定された基準水位に達したとき、上記検知された温度に対応した上限水位を設定し、上記蓄氷タンクの水位が上限水位まで上昇すると、熱交換器の出口温度を過冷却にならない温度に調節することを特徴とする。
【０００９】
また、本発明では、上記の上限水位は、蓄氷タンクの水位が基準水位に達したときに検知された温度若しくは蓄氷タンクの水位が基準水位に達するまでに検知された平均温度に基づいて設定することが好ましい。
【００１０】
また、上記の運転制御方法を効果的に達成できる蓄氷型冷水装置としては、冷凍機と、この冷凍機から吐出される冷媒と熱交換することにより蓄熱媒体を過冷却状態とする熱交換器と、上記蓄熱媒体が収容されるとともに、蓄熱媒体の過冷却の解除により生成した氷を蓄える蓄氷タンクと、上記熱交換器と上記蓄氷タンクを接続する水供給路に介設された、外部から水を供給する外部給水路と、上記蓄氷タンクに設けられた水位検出手段とを備え、蓄氷時において、上記外部給水路を流通する水の給水温度及び／又は上記冷凍機の雰囲気温度を検知し、次いで、蓄氷タンクの水位があらかじめ設定された基準水位に達したとき、上記検知された温度に対応した上限水位を設定し、上記蓄氷タンクの水位が上限水位まで上昇すると、熱交換器の出口温度を過冷却にならない温度に調節する制御手段を備えることが好ましい。
【００１１】
【発明の実施の形態】
本発明は、いわゆる外部給水方式を採用した蓄氷型冷水装置に適用される運転制御方法であり、特に蓄氷終期に頻発する熱交換器の凍結を効果的に防止するために好適な運転制御方法である。
【００１２】
本発明の運転制御方法を実現するためには、冷凍機と、この冷凍機から吐出される冷媒と熱交換することにより蓄熱媒体を過冷却状態とする熱交換器と、上記蓄熱媒体が収容されるとともに、蓄熱媒体の過冷却の解除により生成した氷を蓄える蓄氷タンクと、上記熱交換器と上記蓄氷タンクを接続する水供給路に介設された、外部から水を供給する外部給水路と、上記蓄氷タンクに設けられた水位検出手段とから概略構成される蓄氷型冷水装置を用いることが好適である。ここで、前記冷凍機から吐出される冷媒とは、具体的には、圧縮機から吐出され、凝縮器にて凝縮されて液状となった冷媒が減圧されて気化されたものをいう。
【００１３】
そして、本発明の運転制御方法は、蓄氷時において、上記外部給水路を流通する水の給水温度及び／又は上記冷凍機（具体的には前記凝縮器）の雰囲気温度を検知し、次いで、蓄氷タンクの水位があらかじめ設定された基準水位に達したとき、上記検知された温度に対応した上限水位を設定し、上記蓄氷タンクの水位が上限水位まで上昇すると、熱交換器の出口温度を過冷却にならない温度に調節することを要旨とするものである。
【００１４】
外部給水方式による蓄氷型冷水装置では、上述した如く、水供給路を流通する冷水の温度に応じた量の常温水を外部から供給して冷水と混合することにより、所定温度の冷水とし、さらにこの冷水の循環流量を一定にして熱交換器へ供給することにより製氷運転を行なう。そして、製氷時においては、上記蓄氷型冷水装置を構成する蓄氷タンクの水位は徐々に高くなり、このままの状態で製氷運転を続けた場合、蓄氷終期において、氷が熱交換器の出口に向かって氷筍となって登って行き、熱交換器が凍結に至ることがしばしばある。
【００１５】
上記熱交換器の凍結現象は、蓄氷量がある限度を超えた場合に生じるものであるが、外部給水方式を採用する蓄氷型冷水装置にあっては、その蓄氷量は、製氷運転前における蓄氷タンクの貯水量だけで一義的に定まるものではなく、外部給水路を流通する常温水の給水温度や冷凍機の雰囲気温度によって変動する。
【００１６】
具体的に説明すると、過冷却度、循環流量、蓄氷タンクの有効貯水量及び熱交換器の入口温度を一定として、熱量保存の関係を考慮すると、蓄氷量は、給水温度が高いほど増加する。他方、冷凍機は、その周囲の温度が低下すると、冷却能力が増加する。この結果、過冷却度が増加するため、結果として、冷凍機の雰囲気温度が低いほど蓄氷量が増加する。したがって、蓄氷終期にあっては、たとえ蓄氷タンクの水位が同じでも、その時の蓄氷能力に応じて熱交換器が凍結に至るまでの時間が変動する場合もある。すなわち、外部給水方式を採用した蓄氷型冷水装置を用いる場合には、蓄氷能力が大きいほど短時間で熱交換器が凍結に至る。
【００１７】
そこで、本発明では、蓄氷時において、上記蓄氷タンクの水位が、あらかじめ設定された基準水位に達するまでは、上記外部給水路を流通する水の給水温度若しくは冷凍機の雰囲気温度のどちらか一方、または給水温度と冷凍機の雰囲気温度の両方を検知し、次いで、蓄氷タンクの水位が上記基準水位に達したとき、上記検知された温度に対応した上限水位を設定し、上記蓄氷タンクの水位が上限水位まで上昇すると、熱交換器の出口温度を過冷却にならない温度に調節する。
【００１８】
ここで、本発明において上限水位とは、その水位に達した時点で、非過冷却状態とされた蓄熱媒体（例えば、０．１℃程度の冷水）を所定量蓄氷タンクに供給すれば熱交換器の凍結を避けることができる限界水位のことであり、この水位は熱交換器の凍結速度に影響を与える給水温度や冷凍機の雰囲気温度の条件に応じて、あらかじめ設定された複数の水位のうちから一つを選択して定められるものである。また、本発明において基準水位とは、上記上限水位としてあらかじめ設定された複数の水位のうち、最低水位よりも低い水位をいう。
【００１９】
続いて、蓄氷タンクの水位に分けて、本発明の運転制御方法を詳細に説明する。まず、蓄氷タンクの水位が基準水位に達するまでは、蓄氷タンクが設置される環境に応じて、外部給水路を流通する水の給水温度若しくは冷凍機の雰囲気温度のどちらか一方、または給水温度と冷凍機の雰囲気温度の両方を検知する。検知する対象としては、例えば、冷凍機が屋内に設置されていて、冷凍機の運転中において、外気温度の変化が比較的小さい場合には、給水温度のみを検知すればよい。また、冷凍機が屋外に設置されていて、外気温度の変化が比較的大きい場合には、冷凍機の雰囲気温度（屋外温度）のみ、あるいは給水温度と冷凍機の雰囲気温度の両方を検知すればよい。
【００２０】
上記の温度は、温度センサを用いて常時検知することが好ましい。また、基準水位や後述する上限水位は、上記水位検出手段を用いて検出されるが、この水位検出手段としては、電極棒方式、フロート方式、水圧検出方式など公知の水位検出装置を採用することができる。そして、温度センサと水位検出手段は、ともに回線を介して制御器に接続されている。
【００２１】
つぎに、蓄氷タンクの水位が基準水位に達したときは、上記検知された温度に対応した上限水位が設定される。ここで、上限水位が設定されるとは、あらかじめ設定された複数の上限水位のうちから一つを選択することをいう。具体的には、給水温度のみを検知する場合にあっては、検知された給水温度があらかじめ設定した温度より高いときは、あらかじめ設定した複数の上限水位のうち、低い方の水位を選択し、他方、検知された給水温度があらかじめ設定した温度より低いときは、あらかじめ設定した複数の上限水位のうち、高い方の水位を選択する。
【００２２】
また、冷凍機の雰囲気温度のみを検知する場合にあっては、検知された雰囲気温度があらかじめ設定した温度より低いときは、あらかじめ設定した複数の上限水位のうち、低い方の水位を選択し、他方、検知された雰囲気温度があらかじめ設定した温度より高いときは、あらかじめ設定した複数の上限水位のうち、高い方の水位を選択する。
【００２３】
また、給水温度と冷凍機の雰囲気温度の両方を検知する場合には、上記の方法を組み合わせることになる。具体的には、検知された給水温度があらかじめ設定した温度より低いかどうか、検知された冷凍機の雰囲気温度があらかじめ設定した温度より高いかどうかにより４つの場合分けがあるが、（１）給水温度が設定温度よりも低く、雰囲気温度が設定温度よりも高いときは、あらかじめ設定した４つの上限水位のうち最も高い水位（Ｈａ）を選択し、（２）給水温度が設定温度よりも低く、雰囲気温度が設定温度よりも低いときは、あらかじめ設定した４つの上限水位のうち２番目に高い水位（Ｈｂ）を選択する。また、（３）給水温度が設定温度よりも高く、雰囲気温度が設定温度よりも高いときは、あらかじめ設定した４つの上限水位のうち３番目に高い水位（Ｈｃ）を選択し、（４）給水温度が設定温度よりも高く、雰囲気温度が設定温度よりも低いときは、あらかじめ設定した４つの上限水位のうち４番目に高い水位（Ｈｄ）（すなわち、最低上限水位）を選択する。
【００２４】
ここで、本発明では、上限水位としてＨａ＞Ｈｂ≧Ｈｃ≧Ｈｄであれば良く、例えば上記４パターンのうち、熱交換器の凍結速度は上記（１）の場合が他の場合に比べて最も遅いので、上限水位として、（１）の場合に選択する上限水位と、（２）・（３）・（４）のいずれの場合にも選択する共通の上限水位の２通りに分けるようにしてもよい。
【００２５】
また、本発明では、上限水位を選択する際の指標となる検知温度は、蓄氷タンクの水位が基準水位に達したときに検知された温度のみを基準としてもよいし、蓄氷タンクの水位が基準水位に達するまでに検知された平均温度を基準としてもよい。前者は、蓄氷運転中に温度変化がほとんどない場合に好適な基準となり、後者は、蓄氷運転中に温度変化が激しい場合に好適な基準となるものである。
【００２６】
そして、蓄氷タンクの水位が上記で設定された上限水位まで上昇すると、熱交換器の出口温度が過冷却にならない温度（例えば、０．２〜０．３℃程度）に調節する。具体的には、上記外部給水路に設けた温度調節手段を用いて、常温水と水供給路を流通する冷水とを混合して上記温度よりやや高い温度の冷水とし、これを熱交換器の入口へ供給することにより、熱交換器の出口温度が過冷却にならない温度に調節する。この温度調節は、蓄氷タンクの水位が最終水位に到達するまで続け、これで製氷運転を終了する。ここで、上記温度調節手段による温度調節方法としては、流量調節弁（例えば、モータバルブ、比例制御弁）を用いた、弁の開度の調整による常温水の流量調整による方法、電熱ヒーターなどの加熱手段を用いた、常温水の直接的な温度調整による方法などが挙げられる。
【００２７】
以上説明した運転制御方法によれば、蓄氷タンクの水位が上限水位に達した後、蓄氷タンク内へ非過冷却状態の蓄熱媒体（水）が必要最小限供給されて、かつ熱交換器の凍結を生じることなく蓄氷工程が終了する。したがって、本発明は、従来技術に比べて、蓄氷量（率）を向上させることができるとともに、蓄氷時間を短縮して省エネルギー化を図ることができる。
【００２８】
【実施例】
以下、本発明の実施例を図面に基づいて詳細に説明する。図１は、本発明の運転制御方法が適用される蓄氷型冷水装置の第１実施例を示す概略構成図である。
【００２９】
図１において、蓄氷型冷水装置は、冷凍機１１と熱交換器２１と蓄氷タンク３１とから概略構成されており、冷凍機１１と熱交換器２１はそれぞれ冷媒供給路１２と冷媒還流路１３で接続されて、全体として冷媒循環路を構成している。また、蓄氷タンク３１、第１温度センサ３５、ポンプ３４、及び熱交換器２１が水供給路３２で順次接続されるとともに、熱交換器２１と蓄氷タンク３１が水還流路３３で接続されて、全体として水循環路を構成している。そして、上記水供給路３２に介設された第１温度センサ３５と蓄氷タンク３１との間には、外部から常温水を供給する外部給水路４１が接続されている。この外部給水路４１には、水供給路３２に向かって、第２温度センサ４２と流量調節弁４３が接続されている。ここで、上記熱交換器２１は、上述した図７と同型の熱交換器を使用している。
【００３０】
蓄氷タンク３１内には、水位検出手段として、電極棒方式の水位検出装置３６が設けられている。この水位検出装置３６は、Ｌ、Ｓ、Ｈ１、Ｈ２、Ｈの５本の電極棒により構成されており、それぞれの電極棒の下端部をそれぞれ下限水位（Ｌ）、基準水位（Ｓ）、第１上限水位（Ｈ１）、第２上限水位（Ｈ２）及び最終水位（Ｈ）として検出する。そして、上記第１温度センサ３５、第２温度センサ４２、流量調節弁４３、水位検出装置３６は信号線を介して制御器５１にそれぞれ接続されている。
【００３１】
つぎに、上記構成の蓄氷型冷水装置を用いた製氷運転を図２に基づいて説明する。まず、蓄氷タンクの下限水位（Ｌ）まで蓄熱媒体としての水を入れた後、冷凍機１１を起動して、冷媒を熱交換器２１に供給して循環させるとともに、ポンプ３４を起動して蓄氷タンク３１内の水を水供給路３２を介して上記熱交換器２１へ供給する。そして、熱交換により過冷却状態とされた過冷却水は水還流路３３を経て蓄氷タンクに還流し、さらに水面に衝突することにより過冷却状態が解除されてスラリー状の氷を生成し、これにより製氷が始まる（ステップＳ１）。
【００３２】
しばらくすると、水供給路３２を流通する冷水の温度が低下してくるが、この場合は、第１温度センサ３５で検知された温度条件に基づいて、外部給水路４１に設けた流量調節弁４３の開度を調節して、上記水供給路３２を流通する冷水の温度に応じた量の常温水を供給して、上記冷水と混合することにより所定温度の冷水とする。また、これと並行して、第２温度センサ４２を用いて、外部給水路４１を流通する常温水の給水温度を常時検知する。
【００３３】
製氷が進んで、蓄氷タンク３１の水位が基準水位（Ｓ）に達したとき、給水温度が２０℃未満かどうかを判断して（ステップＳ２）、この基準水位で検知された給水温度に応じた上限水位が設定される。具体的には、給水温度が２０℃未満のときは、第２上限水位（Ｈ２）が選択され（ステップＳ３）、他方、給水温度が２０℃以上のときは、第１上限水位（Ｈ１）が選択される（ステップＳ４）。そして、蓄氷タンク３１の水位が上記選択された上限水位まで上昇すると、第１温度センサ３５からの信号に基づき、外部給水路４１に設けた流量調節弁４３の開度を調節して、所定流量に調節した常温水を水供給路３２に供給することにより、熱交換器２１の出口で過冷却にならない温度（０．２℃）の冷水を供給する（ステップＳ５）。そして、蓄氷タンク３１の水位が最終水位（Ｈ）に達したかどうか判定し（ステップＳ６）、達した時点で蓄氷を終了する（ステップＳ７）。以上説明したように、本実施例の運転制御方法によれば、蓄氷タンク３１の水位が上限水位に達した後、蓄氷タンク内へ非過冷却状態の蓄熱媒体（水）が必要最小限供給されて、かつ熱交換器の凍結を生じることなく蓄氷工程が終了する。
【００３４】
つぎに、本発明の第２実施例を図３に基づいて説明する。図３に示す実施例は、図１で示した給水温度を検知する代わりに、冷凍機を構成する凝縮器の雰囲気温度（本実施例では外気温度に相当する）を検知するものである。この冷凍機の雰囲気温度は、冷凍機１１の近くに設置された第３温度センサ１４を用いて検知される。本実施例に適用される蓄氷型冷水装置の基本構成は、上記第１実施例によるものと基本的に同じであり、相違点は、第１実施例では、外部給水路４１に第２温度センサ４２を設けて給水温度を検知するのに対して、本実施例では、冷凍機１１の近くに第３温度センサ１４を設けて冷凍機１１の雰囲気温度を検知する点にある。また、本実施例では、上限水位を設定する条件として、基準水位（Ｓ）に達したとき、冷凍機１１の雰囲気温度が２０℃以上かどうかを判定する（図４のステップＳ８）。雰囲気温度が２０℃以上のときは、第２上限水位（Ｈ２）が選択され（同図のステップＳ３）、他方、給水温度が２０℃未満のときは、第１上限水位（Ｈ１）が選択される（同図のステップＳ４）。以下、図４において、図２と同じ符号を付した処理は、同じ処理を示すものであり、説明は省略する。
【００３５】
つぎに、本発明の第３実施例を図５に基づいて説明する。図５に示す実施例は、給水温度と冷凍機の雰囲気温度（本実施例では、外気温度に相当する）の両方を検知するものである。本実施例による蓄氷型冷水装置の運転制御方法は、上記第１実施例と第２実施例を組み合わせたものである（図６参照）。具体的には、蓄氷タンク３１の水位が基準水位（Ｓ）に達したとき、まず、給水温度が２０℃未満かどうかを判定する（ステップＳ２）。給水温度が２０℃未満のときは、これに続けて雰囲気温度が２０℃以上かどうかを判定する（ステップＳ８）。そして、雰囲気温度が２０℃以上のときは、第２上限水位（Ｈ２）が選択され（ステップＳ３）、他方、これ以外の判定結果がでたときは、第１上限水位（Ｈ１）が選択される（ステップＳ４）。以下、図６において、図２及び図４と同じ符号を付した処理は、同じ処理を示すものであり、説明は省略する。
【００３６】
【発明の効果】
以上説明したように、本発明にかかる蓄氷型冷水装置の運転制御方法によれば、蓄氷タンクの水位が上限水位に達した後、蓄氷タンク内へ非過冷却状態の蓄熱媒体（水）が必要最小限供給されて、かつ熱交換器の凍結を生じることなく蓄氷工程が終了するとともに、蓄氷量（率）を向上させることができ、さらに蓄氷時間を短縮して省エネルギー化を図ることができる。
【図面の簡単な説明】
【図１】本発明の運転制御方法が適用される蓄氷型冷水装置の第１実施例を示す概略構成図である。
【図２】図１の蓄氷型冷水装置における運転制御方法を示すフローチャートである。
【図３】本発明の運転制御方法が適用される蓄氷型冷水装置の第２実施例を示す概略構成図である。
【図４】図３の蓄氷型冷水装置における運転制御方法を示すフローチャートである。
【図５】本発明の運転制御方法が適用される蓄氷型冷水装置の第３実施例を示す概略構成図である。
【図６】図５の蓄氷型冷水装置における運転制御方法を示すフローチャートである。
【図７】従来の蓄氷型冷水装置を示す概略構成図である。
【符号の説明】
１１  冷凍機
１２  冷媒供給路
１３  冷媒還流路
１４  第３温度センサ
２１  熱交換器
２１ａ  外管
２１ｂ  内管
３１  蓄氷タンク
３２  水供給路
３３  水還流路
３４  ポンプ
３５  第１温度センサ
３６  水位検出装置
４１  外部給水路
４２  第２温度センサ
４３  流量調節弁
５１  制御器
【図１】
2004233009.tif 000003
【図２】
2004233009.tif 000004
【図３】
2004233009.tif 000005
【図４】
2004233009.tif 000006
【図５】
2004233009.tif 000007
【図６】
2004233009.tif 000008
【図７】
2004233009.tif 000009
【手続補正書】
【提出日】平成15年2月12日(2003.2.12)
【手続補正１】
【補正対象書類名】図面
【補正対象項目名】図１
【補正方法】変更
【補正の内容】
【図１】
2004233009.tif 000010
【手続補正２】
【補正対象書類名】図面
【補正対象項目名】図５
【補正方法】変更
【補正の内容】
【図５】
2004233009.tif 000011